(57)【特許請求の範囲】
【請求項１】
モータ駆動部から伝達される回転力によって刃（１１）を回転させるヘッド（１２）からなり、ヘッド（１２）に互いに直交する方向に垂直プレート（２０）と支持プレート（２１）とを固定させ、前記垂直プレート（２０）と支持プレート（２１）との間に設置された刃（１１）により面取りが行われる面取器において、
前記垂直プレート（２０）の、コの字型リンク（６０）と対向する面側に垂直固定板（３０）を固定させ、前記垂直固定板（３０）の先端には直交するように水平固定板（４０）を固定し、前記垂直固定板（３０）に乗って上下移動されるようにコの字型リンク（６０
）を結合させ、前記コの字型リンク（６０）の先端にはパイプ（５０）の外側に密着される外接ローラ（６５）を両側に設置し、前記コの字型リンク（６０）は水平固定板（４０）に設置された外接ローラ調節ねじ（６１）により垂直固定板（３０）に乗って上下に移動されるようにし、前記水平固定板（４０）の一方の面側に移動体（７０）、他方の面側に内接ローラ調節ねじ（７１）を設置し、前記移動体（７０）は水平固定板（４０）に設置された内接ローラ調節ねじ（７１）により上下移動されるようにし、前記移動体（７０）にはスプリング（７７）で圧着力が調節され、パイプ（５０）の内側に密着される内接ローラ（７５）を設置してなることを特徴とする移動式溶接改善用パイプ外径面取器。
【請求項２】
外接ローラ（６５）はパイプ（５０）の外側面の両側に密着されるように設置され、内接ローラ（７５）はパイプ（５０）の内側面に密着されるように設置し、前記内接ローラ（７５）は両側に設置された外接ローラ（６５）の中央側を圧着するように設置され、前記外接ローラ（６５）と内接ローラ（７５）はワンウェイクラッチが内蔵されて一方向にのみ回転がなされ、パイプ（５０）の円周方向に回転するように設置されることを特徴とする請求項１に記載の移動式溶接改善用パイプ外径面取器。
【請求項３】
前記移動体（７０）にパイプ（５０）の内側面に密着される内接ローラ（７５）を回転可能なように設置し、前記内接ローラ（７５）のローラ軸（７６）は移動体（７０）に結合されたままパイプ（５０）に密着される方向に弾性力を受けることを特徴とする請求項１に記載の移動式溶接改善用パイプ外径面取器。
【請求項４】
水平固定板（４０）に設置される外接ローラ調節ねじ（６１）は内接ローラ調節ねじ（７１）より高さが低くなるようにし、パイプ（５０）の切断面側で内接ローラ調節ねじ（７１）に妨害されず外接ローラ調節ねじ（６１）を調節することを特徴とする請求項１に記載の移動式溶接改善用パイプ外径面取器。
【発明の詳細な説明】
【技術分野】
【０００１】
本発明は、切断されたパイプの溶接のために、パイプの角部位を面取りする移動式溶接改善用パイプ外径面取器に関するものであって、簡単な構造で様々な直径のパイプ面取りを簡便にすることができる移動式パイプ面取器に関するものである。
【背景技術】
【０００２】
パイプの溶接のためには、パイプの切断面を面取りしなければならないが、床での切断されたパイプ面取作業は、通常の面取器にパイプを噛ませてするようになるので、簡便に行うことができるが、配管作業が進行される途中で、すでに配管が行われたパイプの切断面に対する面取り作業は、非常に難しいものである。
【０００３】
すなわち、プラント配管作業時には、様々な直径のパイプが高い所で行われるようになるので、携帯用グラインダーのような道具を利用したパイプ面取作業は面取り角度が一定に行われないことはもちろんのこと、パイプの切断面に沿ってグラインダーを回転させながら面取り作業が行われるようになるため、作業が困難であることはもちろん、高い所で作業が行われ、作業環境が劣悪になる。
【０００４】
そして、パイプの切断面に携帯用自動面取器を設置して面取り作業が行われるようにする場合、パイプの直径に応じて様々なサイズの面取器を備えた後、パイプの直径に合った面取器を選択して使用しなければならず、パイプ面取器を利用してプラント作業中のパイプの切断面を面取りすることが困難な作業にならざるを得ない。
【０００５】
すなわち、パイプの切断面に対する面取り作業をするために自由回転と角度調節が自由なグラインダーを用いることは面取り角度が一定にならず、高い所で作業者がいちいちパイプの外径に沿ってグラインダーを回転させて作業しなければならないため、作業能率が低下し、危険な作業にならざるを得ず、自動的にパイプ切断面に対する面取り作業が行われるようにする場合は、パイプの直径に応じて面取器を交換して使用しなければならなので、パイプの直径に応じて複数種類の面取器を備えなければならず、このような自動面取器も高い所での作業が容易でないという問題がある。
【先行技術文献】
【特許文献】
【０００６】
【特許文献１】韓国登録特許第１０−１４１６２２１号（２０１４年７月１日登録）
【特許文献２】韓国登録特許第１０−０９８８０７０号（２０１０年１０月８日登録）
【特許文献３】韓国登録特許第１０−１３４０５７１号（２０１３年１２月５日登録）
【特許文献４】韓国公開特許第１０−２０１４−０１４２５１３号（２０１４年１２月１２日公開）
【発明の概要】
【発明が解決しようとする課題】
【０００７】
本発明は、パイプの切断面を面取りする移動式パイプ外径面取器に関するものであって、プラント配管作業時に高い所に位置するパイプの切断面を面取りする作業を手作業でする場合、作業性が落ちて作業が難しい問題を解決する一方、パイプ面取器を利用する場合には、作業が容易で便利に作業を行うことができるが、パイプの直径に応じて面取器を複数具備しなければならないという問題を解決するためのものである。
【０００８】
本発明は、パイプの直径に応じて能動的に装着して面取りが可能であり、パイプ面取りを簡便に行うことができるものである。
【課題を解決するための手段】
【０００９】
本発明は、移動式面取器のヘッド両側に半月型面取り角度板によって直角方向にそれぞれ垂直プレートと支持プレートとを固定し、前記垂直プレートの外側に垂直固定板を固定させるが、前記垂直固定板の先端には直交するように水平固定板を固定し、前記垂直固定板にはコの字型リンクを結合させるが、前記コの字型リンクの先端にはパイプの外側に密着される外接ローラを設置し、前記コの字型リンクは水平固定板に設置された外接ローラ調節ねじにより上下移動されるようにし、前記水平固定板の下側に移動体を設置するが、前記移動体は水平固定板に設置された内接ローラ調節ねじにより上下移動されるようにし、前記移動体にはスプリングで圧着力が調節され、パイプの内側に密着される内接ローラを設置することにより行われるものであって、内接ローラと外接ローラとの上下の高低を調節してパイプの切断面に垂直プレートと支持プレートとを密着させることにより切断刃によってパイプの面取りが行われる。
【００１０】
本発明で外接ローラと内接ローラはワンウェイクラッチを使用して一方向にのみ回転がなされるようになり、内接ローラはスプリングのテンションによってパイプの内側に密着した状態を維持し、外接ローラは高さ調節され、パイプの直径にかかわらず密着されるようになる。
【００１１】
本発明は、垂直プレートと支持プレートとの中央角部位に突出して設置された刃の回転によりパイプの切断面外側の角に対する面取りが行われるようになり、内接ローラと外接ローラに設置されたワンウェイクラッチによって面取器が一方向にのみパイプの円周方向に回転しながら、パイプの面取りが行われる。
【発明の効果】
【００１２】
本発明は、溶接をするためにパイプの切断面を面取りするものであって、パイプの直径にかかわらず外接ローラを上下移動させてパイプの外側に密着させたまま面取りが行われるものであって、パイプ面取りが精巧に行われる一方、パイプの直径にこだわらず面取りをすることができる効果があり、面取りが行われる方向が一方向に行われようになり簡便かつ安全に面取り作業をすることができ、特に、簡単な構造と便利な移動性によって高い所で行われるプラント配管作業中のパイプ面取りを簡便にすることができるものである。
【図面の簡単な説明】
【００１３】
【図１】本発明の正面斜視図である。
【図２】本発明の背面斜視図である。
【図３】本発明の側面図である。
【図４】本発明の側面斜視図である。
【図５】本発明の要部斜視図である。
【図６】本発明の要部拡大斜視図である。
【図７】本発明の使用状態断面図である。
【図８】本発明の使用状態側面図である。
【図９】本発明の平面図である。
【図１０】本発明の移動体の断面図である。
【発明を実施するための形態】
【００１４】
本発明は、移動式面取器のヘッド両側に固定される半月型面取り角度調節板に直角方向にそれぞれ垂直プレートと支持プレートとを固定させた後、垂直プレートと支持プレートとの間に位置する刃を突出させて面取りが行われるようにする移動式面取器をパイプの切断面の面取りに使用するものであって、パイプの外側に２つの外接ローラを密着させる一方、パイプの内側に１つの内接ローラを密着させるが、垂直プレートと支持プレートとの間に突出された刃がパイプの切断面外側を面取りするように設置することによって行われる。
【００１５】
本発明の外接ローラは互いに離隔した状態で高低が調節され、パイプの直径にこだわらずパイプの外側に密着され、内接ローラはパイプの内側に密着されるがスプリングのテンションによって密着が維持されるようにし、パイプの面取り面が垂直プレートと支持プレートとの間に位置するように面取器を固定させる。
【００１６】
本発明の垂直プレートには外側に垂直固定板を固定し、前記垂直固定板の先端には直交する方向に水平固定板を設置するが、前記垂直固定板はパイプの長さの直角方向に設置され、水平プレートはパイプの先端でパイプの内側に向かって長手方向に設置される。
【００１７】
前記垂直固定板には、コの字型リンクの中央を結合させてコの字型リンクの先端に結合される外接ローラが垂直固定板の両側で同じ距離に設置されるようにし、前記コの字型リンクは水平固定板に設置された外接ローラ調整ねじによって上下移動が行われるようにし、コの字型リンクの上下移動はパイプの中心を基準に移動するので、コの字型リンクがパイプの中心に向かうほど直径の小さいパイプを面取りするようになり、コの字型リンクがパイプの中心から遠ざかるほど直径の大きいパイプを面取りするようになる。
【００１８】
ここで、外接ローラはパイプの外側に密着され、パイプの円周方向には回転をするが長手方向には移動せず、特に、ワンウェイクラッチの使用により外接ローラは一方向にのみ回転するようになる。
【００１９】
前記コの字型リンクが結合された側の垂直固定板には、外側に飛散防止板を設置して面取り時に発生するチップが作業者に向かって飛ぶことを防止する。
【００２０】
本発明の水平固定板には下側に移動体を設置するが、前記移動体の下側に内接ローラが挟まれるようにする一方、前記内接ローラのローラ軸は移動体の内部でスプリングに指弾されたまま設置することにより、内接ローラはスプリングのテンションによって下側に押される力を受けるようになり、前記移動体は水平固定板に設置された内接ローラ調節ねじによって高さが調節されるようにする。
【００２１】
本発明の内接ローラはパイプの内側に密着され、パイプの円周方向への回転は行われるが長手方向には移動せず、特に、ワンウェイクラッチの使用により内接ローラは一方向にのみ回転するようになる。
【００２２】
本発明は、パイプの切断面の面取りをするために内接ローラはパイプの内側に密着され、外接ローラはパイプの外側に密着された状態で垂直プレートと支持プレートとの間の刃でパイプの切断面外側に対する面取りがなされるようにするが、前記外接ローラと内接ローラはワンウェイクラッチによって一方向にのみ回転されて面取りが行われるようになるため、正確な面取り角度で面取りが行われる一方、簡便な面取り作業が可能な効果がある。
【００２３】
すなわち、パイプの外側には外接ローラが密着され、パイプの内側には内接ローラが密着した状態でパイプの円周方向に沿って外接ローラと内接ローラの回転で面取器の移動が行われるようになり、面取器の移動に応じてパイプの切断面に対する面取りが行われるようになる。
【００２４】
ここで、内接ローラは内接ローラ調節ねじの回転に応じて昇・下降し、下降時にはパイプの内面に密着され、この状態で内接ローラ調節ねじをさらに回すとスプリングが圧着され圧着ローラが鉄板に密着されるため、パイプの面取り作業時にパイプの円周方向に沿って正確に移動し、パイプの切断面に対する面取りが行われる。
【００２５】
特に、本発明は、内接ローラと外接ローラがワンウェイクラッチを使用して、一方向にのみ回転がなされるようになるため、面取器が後進して事故が発生するおそれがない。
【００２６】
以下、本発明を実施例の図面を参照して詳細に説明する。
【００２７】
本発明における面取器１０は、モータ駆動部から伝達される回転力によって刃１１を回転させるヘッド１２からなり、前記ヘッド１２には半月型角度調節板２２に結合される垂直プレート２０と支持プレート２１とが直交する方向に設置され、前記垂直プレート２０と支持プレート２１との間に突出した刃１１によってパイプ５０の切断面を面取りするようになるもので、本発明におけるヘッド１２に固定された垂直プレート２０と支持プレート２１の構成及び刃１１の回転による面取りが行われる基本的な面取り機能は公知の構成なので、これに対する詳細は省略する。
【００２８】
本発明の垂直プレート２０と支持プレート２１は、ヘッド１２の両側に半月型面取り角度調節板２２により固定され、前記互いに直角方向をなすように固定される垂直プレート２０と支持プレート２１との間に刃１１が突出して垂直プレート２０と支持プレート２１との間に挟まれたパイプ５０の切断面に対する面取りがなされる。
【００２９】
本発明は、垂直プレート２０の外側に垂直固定板３０を固定し、前記垂直固定板３０には直交する方向に水平固定板４０を固定し、前記垂直固定板３０の外側にコの字型リンク６０を結合させるが、前記コの字型リンク６０は水平固定板４０の上部に突出した外接ローラ調節ねじ６１の回転に応じて上下に移動されるようにし、前記コの字型リンク６０の先端にはワンウェイクラッチが内蔵された外接ローラ６５を設置することにより、外接ローラ調整ねじ６１を回転させることによってコの字型リンク６０に結合された外接ローラ６５が垂直固定板３０に結合されたまま上下移動される。
【００３０】
本発明の水平固定板４０には下側に移動体７０を結合させるが、前記移動体７０は水平固定板４０の上部に設置された内接ローラ調節ねじ７１によって上下移動されるようにし、前記移動体７０の下側にワンウェイクラッチが内蔵された内接ローラ７５を設置するが、前記内接ローラ７５のローラ軸７６はスプリング７７によって圧着されるようにすることにより、内接ローラ調整ねじ７１で移動体７０を下降させてパイプ５０の内側に密着させた状態で内接ローラ調節ねじ７１をさらに下降させれば、スプリング７７が圧着されローラ軸７６を圧着して内接ローラ７５がパイプ５０の内側に密着した状態を維持するようになる。
【００３１】
ここで、外接ローラ６５と内接ローラ７５は、内部にワンウェイクラッチが内蔵されて一方向にのみ回転がなされるもので、外接ローラ６５と内接ローラ７５に内蔵されるワンウェイクラッチは市販で購入可能なローラであり、このようなワンウェイクラッチをローラに内蔵させて一方向にのみ回転がなされるようにすることは、当業者が容易に実施することができる事項である。
【００３２】
本発明の移動体７０は、本人によって特許された特許文献３に記載された移動体の構成と同様の構成であることから、これに対する詳細は省略する。
【００３３】
本発明の外接ローラ６５と内接ローラ７５は、それぞれパイプ５０の外側と内側に密着した状態で回転されるもので、パイプ５０の円周方向に向かう回転のみがなされるだけで、パイプ５０の長手方向への移動はなされない。
【００３４】
本発明のヘッド１２には、垂直プレート２０側を覆う飛散防止板１５を設置して面取り作業中に発生するチップが作業者に飛ばないようにし、前記飛散防止板１５はコの字型リンク６０に挟まれるようにするが、パイプの直径変化に応じて飛散防止板１５がガイド溝に乗って上下位置を調節できるようにし、コの字型リンク６０に固定されたねじはパイプの直径により上下位置が移動された飛散防止板１５を固定する。
【００３５】
本発明において、外接ローラ調整ねじ６１と内接ローラ調節ねじ７１は、ともに水平固定板４０に設置され、パイプ５０の側面から見るときのような高さである場合は、前後に重なるので、外接ローラ調整ねじ６１の高さを内接ローラ調節ねじ７１より低くし、パイプ５０の側面から外接ローラ調節ねじ６１と内接ローラ調節ねじ７１が一直線に置かれても容易に操作できるようにする。
【００３６】
すなわち、パイプ５０の内側に位置する調節ねじの高さを互いに異なるようにするものである。
【００３７】
このような構成の本発明は、パイプ５０の切断面の面取りを行なうことで、まず外接ローラ調節ねじ６１を利用し、外接ローラ６５をパイプ５０の外側に位置するようにした状態でパイプ５０の切断面が内接ローラ７５と外接ローラ６５との間に挟まれるようにした後、内接ローラ調整ねじ７１を回して内接ローラ７５がパイプ５０の内側面に密着されるようにする一方、外接ローラ調節ねじ６１を回して外接ローラ６５がパイプ５０の外側面に密着されるようにする。
【００３８】
本発明は、パイプ５０の断面が円形に見える側面方向から見たとき、２つの外接ローラ６５はパイプ５０の外側面の両側を支える形態になるようにし、内接ローラ７５は外接ローラ６５との間でパイプ５０の内側面を支える形態になるようにパイプ５０の切断面に面取器１０を挟む。
【００３９】
すなわち、外接ローラ６５と内接ローラ７５との間にパイプ５０の切断面を挟むが、外接ローラ６５と内接ローラ７５がパイプ５０の円周に沿って回転する形態で挟んだ後、外接ローラ調整ねじ６１と外接ローラ調節ねじ７１を利用して外接ローラ６５と内接ローラ７５がパイプ５０の内外側に密着されれば、パイプ５０の切断面は垂直プレート２０に密着した状態となり、パイプ５０は外接ローラ６５と内接ローラ７５によって支えられた状態で面取器１０の刃１１を回転させれば、パイプ５０の切断面外側の角に対する面取りが行われるようになって、このとき外接ローラ６５と内接ローラ７５がワンウェイクラッチによって一方向のみに回転するようになるので、面取器１０を一方向に回転させてパイプ５０に沿って回すと、パイプ５０の外径に対する切断面の面取りが完了する。
【００４０】
このような面取り作業で、外接ローラ６５がパイプ５０の外側に密着されるようにする過程について察しみる。
【００４１】
外接ローラ調節ねじ６１を回すと、コの字型リンク６０が上下移動するようになり、これにより外接ローラ６５が上下移動すれば外接ローラ６５と内接ローラ７５との間に切断されたパイプ５０が挟まれて外接ローラ６５がパイプ５０の外部両側を支持するようにする。
【００４２】
パイプ５０の外側を外接ローラ６５が支えることができるように外接ローラ調節ねじ６１を回してコの字型リンク６０がパイプ５０の中心に向かう側に移動すると、外接ローラ６５がパイプ５０の外側に密着するようになる。
【００４３】
そして、内接ローラ調整ねじ７１を回して内接ローラ７５がパイプ５０の内側に密着される方向に移動させると、内接ローラ７５はスプリング７７の弾力によって持続的にパイプ５０の内側に密着した状態を維持するようになる。
【００４４】
ここで、外接ローラ６５と内接ローラ７５は、かなりの圧力でパイプ５０と密着した状態で面取りが行われるべきであって、このため、本発明では、内接ローラ７５がパイプ５０の内側面に触れたまま内接ローラ調節ねじ７１を回して移動体７０を下降させることにより内接ローラ７５がパイプ５０の内側面に触れるようになった後でも、引き続き内接ローラ調節ねじ７１を回転させると移動体７０をさらに下降させるようになり、このとき移動体７０の下降に応じて内接ローラ７５も下降されなければならないが、パイプ５０に触れて下降が行われないため、内接ローラ７５がパイプ５０の内側面に触れたまま移動体７０の下降が行われるようになって、これによりスプリング７７が圧着され、内接ローラ７５のローラ軸７６を圧着させるので、内接ローラ７５はスプリング７７の弾性力だけパイプ５０を圧着させるようになり、これにより、パイプ５０をしっかりとつかむ結果となり、面取りが正常に行われるようになる。
【００４５】
すなわち、スプリング７７を圧着させて内接ローラ７５がパイプ５０の内側面を圧着させると、結果的に外接ローラ６５によりパイプ５０の外側面を圧着させるので、面取り過程で外接ローラ６５と内接ローラ７５がパイプ５０に密着された状態でパイプ５０の円周方向に沿って移動しながら面取りが行われるようになる。
【００４６】
このとき、外接ローラ６５と内接ローラ７５は、ワンウェイクラッチが内蔵されているため、一方向にのみ回転がなされるようになり、これにより安全な面取りが行われるようになる。
【００４７】
そして、本発明は、飛散防止板１５を利用して、面取り時に発生するチップが作業者に飛ぶことを防止して、安全な作業が行われるようにする。
【００４８】
このように、パイプ５０の切断面に対する面取りが行われるようになると、外接ローラ調節ねじ６１を利用して、コの字型リンク６０がパイプの外側に離れるようにすることにより、パイプ５０から面取器１０が離脱することができるようにした後、他のパイプ５０に移動して作業をするようにする。
【００４９】
本発明は、パイプ５０の外側をコの字型リンク６０に結合された外接ローラ６５が両側で支持されるようになり、パイプ５０の内側は内接ローラ７５が支えるため、パイプ５０の直径に顕著な差が発生しなければ、１つのコの字型リンク６０を利用して作業が可能であり、大幅に直径の差が発生する場合にのみ、両側の外接ローラ６５との間の距離が互いに異なるコの字型リンク６０を交換して使用すればよい。
【００５０】
本発明は、１つのコの字型リンク６０でカバーするパイプ５０の直径が大きく、パイプ５０の直径に大きくこだわらず面取り作業をすることができ、面取り作業中には面取器１０が一方向にのみ回転される一方、パイプ５０の長手方向には移動されないことから、安全に面取り作業をすることができ、特に簡単に装着して面取りをした後、分離が可能なものであって、移動式パイプ面取器として簡便に使用できるものである。
【符号の説明】
【００５１】
１０：面取器                  １１：刃
１５：飛散防止板              ２０：垂直プレート
２１：支持プレート            ３０：垂直固定板
４０：水平固定板              ５０：パイプ
６０：コの字型リンク          ６１：外接ローラ調節ねじ
６５：外接ローラ              ７０：移動体
７１：内接ローラ調節ねじ      ７５：内接ローラ
７６：ローラ軸                ７７：スプリング
【図１】
0006726850.tif 000002
【図２】
0006726850.tif 000003
【図３】
0006726850.tif 000004
【図４】
0006726850.tif 000005
【図５】
0006726850.tif 000006
【図６】
0006726850.tif 000007
【図７】
0006726850.tif 000008
【図８】
0006726850.tif 000009
【図９】
0006726850.tif 000010
【図１０】
0006726850.tif 000011